(57)【要約】【課題】荷台に着脱自在な貨物自動車用リフト装置を提供することである。【解決手段】荷台１の床下後部のシャーシフレーム２に、固定レール部なる車両側凸形レール４を設け、車両側凸形レール４の他端に案内ピン６を有した案内係止部５が設けられ、上部には前後に並べて配置された一対の板体からなるロック部材７を連結し、一対のロック部材７を同調させて回動自在に設けた回動軸８を備えたロック装置９が設けられている。前記ロック部材６における前側ロック部材10の一端には、棒状のハンドル11が軸12により、回動自在に設けられている。貨物自動車用リフト装置14の上部には、リフトテーブルＴを一体に設け左右に延びた荷台への取付部たるメインフレーム15が設けられ、そのメインフレーム15の上面に可動レール基部20が備えられ、可動レール基部20の裏面25には可動レール部なる凹形レール30が設けられている。【選択図】図１
2007099247.tif 000002
【特許請求の範囲】
【請求項１】
荷台に平行リンク機構を介して昇降可能に設けた折り畳み可能なリフトテーブルと、このリフトテーブルを昇降させる駆動装置とを備え、該リフトテーブルを折り畳んで床下に格納する貨物自動車用リフト装置において、前記荷台に前記リフトテーブルを脱着手段により装着したことを特徴とした貨物自動車用リフト装置。
【請求項２】
荷台に平行リンク機構を介して回動自在に設けたリフトテーブルと、前記平行リンク機構を回動させる昇降用シリンダと、前記リフトテーブルを起伏させる起伏用シリンダとを設けた貨物自動車用リフト装置において、前記荷台に前記リフトテーブルを脱着手段により装着したことを特徴とした貨物自動車用リフト装置。
【請求項３】
前記荷台に固定レール部を設け、前記リフトテーブルに形成された前記荷台への取付部に前記固定レール部に摺動自在な可動レール部を設け、前記レール部に前記可動レール部の摺動を制限するロック装置を設けたことを特徴とする請求項１又は２記載の貨物自動車用リフト装置。
【請求項４】
前記荷台に床下格納式リアバンパを摺動自在に設けたことを特徴とした請求項１〜３のいずれか１項に記載の貨物自動車用リフト装置。
【請求項５】
前記貨物自動車用リフト装置は、該貨物自動車用リフト装置自体を上下動自在にする昇降手段を有することを特徴とする請求項１〜４のいずれか１項に記載の貨物自動車用リフト装置。
【請求項６】
前記貨物自動車用リフト装置は、該貨物自動車用リフト装置自体を自走可能にする移動手段を有することを特徴とする請求項１〜５のいずれか１項に記載の貨物自動車用リフト装置。
【発明の詳細な説明】
【技術分野】
【０００１】
本発明は、貨物自動車等の車両後部に装着されて、リフトテーブルの昇降動作によって貨物の積み下ろしをするリフト装置に係り、特にリフトテーブルを折り畳んで車両床下に格納する床下格納式リフト装置に関する。
【背景技術】
【０００２】
従来、貨物自動車に装着するリフト装置としては、平行リンク機構を介して折り畳み可能なリフトテーブルを設け、このリフトテーブルを折り畳んだ状態で車体床下に格納する構造のものが知られている（特許文献１）。
【０００３】
このように床下に格納するリフトテーブルは前記平行リンク機構が左右一対のアッパーアームとスライドシリンダで構成され、これら各アームの基端をシャーシフレーム側に軸支し、その各アームの先端にリフトテーブルを軸支している。
そして、駆動用シリンダの伸縮により展開したリフトテーブルを荷台の後方側にて昇降するようにしている。
【０００４】
しかしながら、前述したリフト装置は、平行リンク機構を構成するアッパーアームとスライドシリンダの長さは主にリフトテーブルの昇降移動量によって決定され、必然的に地面から荷台の床面までの距離に応じて長くなる。
【０００５】
しかし、小型貨物自動車などにおいてはリアオーバーハング（リアタイヤ中心からボディの最後端までの寸法）に余裕がなく、限られた少ないスペースに床下格納式リフト装置を配置することが困難な場合があった。
【０００６】
これらの不具合を解消するものとして、図19に示したような荷台１に平行リンク機構101を介して昇降可能に設けた折り畳み可能なリフトテーブルＴと、このリフトテーブルＴを昇降させる駆動装置102とを備え、該リフトテーブルＴを折り畳んで床下に格納する床下格納式リフト装置103において、前記平行リンク機構101を伸縮可能なアッパーアーム104と、スライドシリンダ105で構成し、前記スライドシリンダ105により前記リフトテーブルＴを荷台下方の格納位置と荷台後方の作業位置との間でスライド自在に構成した床下格納式リフト装置103がある（特許文献２）。
【０００７】
この構成によれば、スライドアーム106の伸縮動作に連動してアッパーアーム104を伸縮させ、これらスライドアーム106とアッパーアーム104に連結したリフトテーブルＴを折り畳んで床下に格納することができ、リアオーバーハングの寸法的な制約を受けることなく、折り畳んだリフトテーブルＴを床下に格納することが可能となる。
【０００８】
また、別なリフト装置としては、図20に示すような貨物自動車の後部に荷台１を搭載し、この荷台１の床下に横設したメインフレーム108に平行リンク機構109を枢着し、その平行リンク機構109の先端にリフトテーブルＴを回動自在に枢着するとともに、前記平行リンク機構109を回動させる昇降用シリンダ110と、前記テーブルを起伏させる起伏用シリンダ111とを設けた貨物自動車用リフト装置112がある（特許文献３）。この構成によれば、リフトテーブルＴの上限位置で水平なリフトテーブルＴを垂直に起立させて荷台１の後面開口部を塞ぐようにして格納することができる。
【特許文献１】特開平８−１５０８６９号公報
【特許文献２】特開２００５−１１９３７２号公報
【特許文献３】特開２００２−１８７４７６号公報
【発明の開示】
【発明が解決しようとする課題】
【０００９】
上記の特許文献２又は３の構成においては、各リフトテーブルＴの前記の動作を可能とするための様々な機構が貨物自動車用リフト装置に備えられており、貨物自動車用リフト装置自体の重量もかなりのものになる。さらに貨物自動車において荷台への荷物の積み下ろしに前記リフト装置を使用する時期も１年を通じてではない為、前記リフト装置を使用しない時期においては、荷台の床下に不要な重量物を帯同させて貨物自動車は走行することになり、走行時の貨物自動車の燃費に悪影響を与えることになるという欠点がある。
【００１０】
解決しようとする問題点は、荷台に着脱自在な貨物自動車用リフト装置を提供することを目的とするものである。
【課題を解決するための手段】
【００１１】
請求項１の発明は、荷台に平行リンク機構を介して昇降可能に設けた折り畳み可能なリフトテーブルと、このリフトテーブルを昇降させる駆動装置とを備え、該リフトテーブルを折り畳んで床下に格納する貨物自動車用リフト装置において、前記荷台に前記リフトテーブルを脱着手段により装着したことである。
【００１２】
請求項２の発明は、荷台に平行リンク機構を介して回動自在に設けたリフトテーブルと、前記平行リンク機構を回動させる昇降用シリンダと、前記リフトテーブルを起伏させる起伏用シリンダとを設けた貨物自動車用リフト装置において、前記荷台に前記リフトテーブルを脱着手段により装着したことである。
【００１３】
請求項３の発明は、前記荷台に固定レール部を設け、前記リフトテーブルに形成された前記荷台への取付部に前記固定レール部に摺動自在な可動レール部を設け、前記レール部に前記可動レール部の摺動を制限するロック装置を設けたことである。
【００１４】
請求項４の発明は、前記荷台に床下格納式リアバンパを摺動自在に設けたことである。
【００１５】
請求項５の発明は、前記貨物自動車用リフト装置は、該貨物自動車用リフト装置自体を上下動自在にする昇降手段を有することである。
【００１６】
請求項６の発明は、前記貨物自動車用リフト装置は、該貨物自動車用リフト装置自体を自走可能にする移動手段を有することである。
【発明の効果】
【００１７】
請求項１の発明によれば、荷台に貨物自動車用リフト装置を脱着自在に装着することにより、リフトの不要な場合に荷台から貨物自動車用リフト装置を取外すことで、その荷台の重量の軽量化を図ることができ、さらにその軽量化により貨物自動車の燃費の向上を図ることができる。
【００１８】
請求項２の発明によれば、荷台に貨物自動車用リフト装置を脱着自在に装着することにより、リフトの不要な場合に荷台から貨物自動車用リフト装置を取外すことで、その荷台の重量の軽量化を図ることができ、さらにその軽量化により貨物自動車の燃費の向上を図ることができる。
【００１９】
請求項３の発明によれば、荷台と貨物自動車用リフト装置を摺動自在なレールにより着脱自在にすることで、着脱時の労力を軽減することができる。
【００２０】
請求項４の発明によれば、貨物自動車用リフト装置の取外し時の貨物自動車のリアバンパとして、床下格納式リアバンパを荷台から引出して使用することができる。
【００２１】
請求項５の発明によれば、貨物自動車用リフト装置に貨物自動車用リフト装置自体を上下動自在にする昇降手段を有したことにより、荷台へ貨物自動車用リフト装置を脱着作業時のリフト装置の上げ下げにおける作業者の肉体的労力を軽減する。
【００２２】
請求項６の発明によれば、貨物自動車用リフト装置を自走可能にする移動手段を貨物自動車用リフト装置に設けたことにより、脱着作業時のリフト装置の運搬を容易し、作業者の肉体的労力を軽減する。
【発明を実施するための最良の形態】
【００２３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２４】
図１乃至10は実施例１を示しており、
１は貨物自動車のアルミバン型の荷台であり、前記荷台１の床下後部には、左右一対のシャーシフレーム２が固着されている。
前記シャーシフレーム２の外側面に、板体からなる固定レール基部３が設けられ、固定レール基部３には一端にテーパが形成された固定レール部なる車両側凸形レール４が設けられ、車両側凸形レール４の他端は、固定レール基部３から水平方向に立設された板体からなる案内係止部５に固着され、その案内係止部５には先端を裁頭円錐状に形成した円柱からなる案内ピン６が設けられている。また、固定レール基部３の平面の上部には前後に並べて配置された一対の板体からなるロック部材７を連結し、一対のロック部材７を同調させて回動自在に設けた回動軸８を備えたロック装置９が設けられている。前記ロック部材６における前側ロック部材10の一端には、棒状のハンドル11が軸12により、回動自在に設けられている。
【００２５】
前記車両側凸形レール４の上面には前後方向に一定の間隔を設けて矩形に浅く形成されたレール上面溝13が３つ形成され、後端に位置したレール上面溝13aのみを他の２つのレール上端溝13に対し内側にずらして形成されている。
【００２６】
貨物自動車用リフト装置14の上部には、リフトテーブルＴを一体に設け左右に延びた荷台への取付部たるメインフレーム15が設けられており、そのメインフレーム15の上面には左右一対で前後に二つずつ固定用貫通孔16を有した取付部材17が設けられ、板体からなり取付部材17の固定用貫通孔16に対応した孔18を備えた接続部19を前後方向の端を下方に延設して形成した可動レール基部20を取付部材17の上部に備えられており、固定用貫通孔16と接続部19の孔18にはボルト21・ナット22が螺着され、可動レール基部20と取付部材17とは固着されている。
【００２７】
可動レール基部20の表面23には、先端を裁頭円錐状に形成した円柱からなるロックピン24が前後方向に２つ配して設けられている。
【００２８】
可動レール基部20の裏面25には、３つのローラ26が前後方向に一定の間隔を設けて回転自在に軸着されており、後端に位置したローラ26aのみを他の２つのローラ26に対し内側にずらして設けている。可動レール基部20の裏面25における３つのローラ26の間隙２箇所には、合成樹脂材料からなる板体の一端を下方に屈折して形成した固定レール部接触部材27を下部に設けた矩形体28をそれぞれ設け、可動レール基部20の下端を水平方向内側に突設して設けた水平部29とにより可動レール部なる凹形レール30が構成される。
【００２９】
可動レール基部20の上部前端には前記案内ピン6を挿通自在な大きさに形成された案内ピン用孔31を有した板体からなる可動側係止部32が設けられている。
【００３０】
また、前記リフトテーブルＴには、図19に示したような床下に格納することが可能なものであっても、図20に示したような垂直に起立させて荷台１の後面開口部を塞ぐようにして格納することが可能なものであっても構わないものとする。
【００３１】
以上の構成について、作用を述べるとリフトテーブルＴを有した貨物自動車用リフト装置14の貨物自動車１への取付けには、まず、車両側凸形レール４の先端に向けて、可動レール基部20のローラ26を近付けていき、車両側凸形レール４の上面にローラ26を接触させる。そして、そのまま貨物自動車用リフト装置14をローラ26の転がりを利用して、後ろから前へと押していく。その時、車両側凸形レール４の上面と固定レール部接触部材27の底面とは隙間Ａが形成されており（図４（b）参照）、可動レール部30と固定レール部４との接触箇所はローラ26と車両側凸形レール４の上面との転がり接触のみとなる。
【００３２】
そのまま貨物自動車用リフト装置14を押していき、可動側係止部32の案内ピン用孔31に案内ピン６を挿通させ案内係止部５に可動側係止部32を当接させると、可動レール基部20の３つのローラ26は、車両側凸形レール４の上面に形成された３つのレール上面溝13に落ち込み、固定レール部４に可動レール部30全体が相対的に落ち込むことにより、前記隙間Ａは消滅し、車両側凸形レール４の上面と固定レール部接触部材27の底面とは面接触し、固定レール部４に可動レール部30は、転がり不能の状態となる。また、隙間Ａが消滅するとともに車両側凸形レール４の底面と可動レール基部20の水平部29の上面との間に隙間Ｂが生じる（図５（b）参照）。
【００３３】
そのままの状態から、固定レール基部３側に折りたたまれて収納されていたロック装置９のハンドル11を軸12を中心に外側に９０°回動させて、ハンドル11を引き出し、そのハンドル11をロック装置９の回動軸８を軸に下方に９０°回動させ、ロック部材７の当接部33を可動レール基部20及び矩形体28の上面に当接させるが、一対のロック部材７を連結している回動軸８により、ハンドル11を有していない側のロック部材７も同調して下方に９０°回動するため、そのロック部材７の当接部33も可動レール基部20及び矩形体28の上面に当接する。そして、この一対のロック部材７の回動軸８を軸とした動作により、一対のロック部材７の側面と２つのロックピン24がそれぞれ当接することとなる。その後、ハンドル11を軸12を中心に内側に９０°回動させ固定レール基部３側に折りたたんで収納し、貨物自動車の荷台１へのリフトテーブルＴを有した貨物自動車用リフト装置14の取付けが完了する。
【００３４】
以上の作用によると、ロック部材７の当接部33が可動レール基部20及び矩形体28の上面に当接し、又ロック部材７とロックピン24とが当接することにより、ローラ26がレール上面溝13に落ち込み、車両側凸形レール４と凹形レール30とに生じた隙間Ｂからくるリフト装置14の上方への跳ね上がりが抑止される。これによって車両の走行時に車両のエンジン自体からくる振動や路面のギャップからの振動等によるリフト装置14の跳ね上がりが防止されることで、より確実な荷台１へのリフト装置14の装着が可能となる。
【００３５】
また、可動レール側にローラを用いたことにより、より少ない労力でリフト装置の荷台への装着を可能とするとともに、ローラの配置位置に対応したレール上面溝を固定側レール部の摺動面である上面に設けたことにより、可動レール部の固定レール部への位置決めを簡単にし、作業の効率化を図ることができる。
【００３６】
さらに、固定レール部側に案内係止部及び案内ピンを、可動レール部側に可動側係止部及び案内ピン用孔を設けたことにより、可動レール部の固定レール部への位置決めを簡単にし、作業の効率化を図ることができる。
【００３７】
以上のように、前記実施例では請求項１に対応して、荷台１に平行リンク機構101を介して昇降可能に設けた折り畳み可能なリフトテーブルＴと、このリフトテーブルＴを昇降させる駆動装置102とを備え、該リフトテーブルＴを折り畳んで床下に格納する貨物自動車用リフト装置14において、前記荷台１に前記リフトテーブルＴを脱着手段により装着したことにより、リフトの不要な場合に荷台１から貨物自動車用リフト装置14を取外すことで、その荷台１の重量の軽量化を図ることができ、さらにその軽量化により貨物自動車の燃費の向上を図ることができる。
【００３８】
また、前記実施例は請求項２に対応して、荷台１に平行リンク機構109を介して回動自在に設けたリフトテーブルＴと、前記平行リンク機構109を回動させる昇降用シリンダ110と、前記リフトテーブルＴを起伏させる起伏用シリンダ111とを設けた貨物自動車用リフト装置14において、前記荷台１に前記リフトテーブルＴを脱着手段により装着したことにより、リフトの不要な場合に荷台１から貨物自動車用リフト装置14を取外すことで、その荷台１の重量の軽量化を図ることができ、さらにその軽量化により貨物自動車の燃費の向上を図ることができる。
【００３９】
さらに、前記実施例では請求項３に対応して、前記荷台１に固定レール部４を設け、前記リフトテーブルＴに形成された前記荷台１への取付部15に前記固定レール部４に摺動自在な可動レール部30を設け、前記レール部４に前記可動レール部30の摺動を制限するロック装置９を設けたことにより、荷台１と貨物自動車用リフト装置14を摺動自在なレール部４,30により着脱自在にすることで、着脱時の労力を軽減することができる。
【実施例２】
【００４０】
図11乃至13は実施例２を示しており、実施例１に重複する箇所については説明を省略する。
【００４１】
１は貨物自動車のアルミバン型の荷台であり、前記荷台１の床下後部には、左右一対のシャーシフレーム２が固着されている。前記シャーシフレーム２の外側面に、板体からなる固定レール基部３が設けられ、固定レール基部３には一端にテーパが形成された固定レール部なる車両側凸形レール34が設けられ、車両側凸形レール34の他端は、固定レール基部３から水平方向に立設された板体からなる案内係止部５に固着され、その案内係止部５には先端を裁頭円錐状に形成した円柱からなる案内ピン６が設けられている。また、固定レール基部３の平面の上部には前後に並べて配置された一対の板体からなるロック部材７を連結し、一対のロック部材７を同調させて回動自在に設けた回動軸８を備えたロック装置９が設けられている。前記ロック部材６における前側ロック部材10の一端には、棒状のハンドル11が軸12により、回動自在に設けられている。
【００４２】
貨物自動車用リフト装置14の上部には、リフトテーブルＴを一体に設け左右に延びた荷台への取付部たるメインフレーム15が設けられており、そのメインフレーム15の上面には左右一対で前後に二つずつ固定用貫通孔16を有した取付部材17が設けられ、板体からなり取付部材17の固定用貫通孔16に対応した孔18を備えた接続部19を前後方向の端を下方に延設して形成した可動レール基部20を取付部材17の上部に備えられており、固定用貫通孔16と接続部19の孔18にはボルト21・ナット22が螺着され、可動レール基部20と取付部材17とは固着されている。
【００４３】
可動レール基部20の表面23には、先端を裁頭円錐状に形成した円柱からなるロックピン24が前後方向に２つ配して設けられている。
【００４４】
可動レール基部20の裏面25には、可動レール部なる凹形レール35が形成されている。
【００４５】
可動レール基部20の上部前端には前記案内ピン6を挿通自在な大きさに形成された案内ピン用孔31を有した板体からなる可動側係止部32が設けられている。
【００４６】
また、前記リフトテーブルＴには、図19に示したような床下に格納することが可能なものであっても、図20に示したような垂直に起立させて荷台１の後面開口部を塞ぐようにして格納することが可能なものであっても構わないものとする。
【００４７】
以上の構成について、作用を述べるとリフトテーブルＴを有した貨物自動車用リフト装置14の貨物自動車１への取付けには、まず、車両側凸形レール４の先端に向けて、凹形レール35の一端を近付けていき、車両側凸形レール４の上面に凹形レール35の摺動部36を接触させる。そして、そのままテーブルリフト装置14を車両側凸形レール４の上面に凹形レール35の摺動面36を摺動させながら、後ろから前へと押していく。
【００４８】
そのまま貨物自動車用リフト装置14を押していき、可動側係止部32の案内ピン用孔31に案内ピン６を挿通させ案内係止部５に可動側係止部32を当接させた、車両用凸形レール４の底面と可動レール基部20の水平部29の上面との間に隙間Ｃが生じる（図13参照）。
【００４９】
そのままの状態から、固定レール基部３側に折りたたまれて収納されていたロック装置９のハンドル11を軸12を中心に外側に９０°回動させて、ハンドル11を引き出し、そのハンドル11をロック装置９の回動軸８を軸に下方に９０°回動させ、ロック部材７の当接部33を凹形レール35の上面に当接させるが、一対のロック部材７を連結している回動軸８により、ハンドル11を有していない側のロック部材７も同調して下方に９０°回動するため、そのロック部材７の当接部33も凹形レール35の上面に当接する。そして、この一対のロック部材７の回動軸８を軸とした動作により、一対のロック部材７の側面と２つのロックピン24がそれぞれ当接することとなる。その後、ハンドル11を軸12を中心に内側に９０°回動させ固定レール基部３側に折りたたんで収納し、貨物自動車の荷台１へのリフトテーブルＴを有したテーブル貨物自動車用リフト装置14の取付けが完了する。
【００５０】
以上の作用によると、ロック部材７の当接部33が凹形レール35の上面に当接し、又ロック部材７とロックピン24とが当接することにより、車両側凸形レール34と凹形レール35とに生じた隙間Ｃからくるリフト装置14の上方への跳ね上がりが抑止される。これによって車両の走行時に車両のエンジン自体からくる振動や路面のギャップからの振動等によるリフト装置14の跳ね上がりが防止されることで、より確実な荷台1へのリフト装置14の装着が可能となる。
【００５１】
以上のように、前記実施例では請求項３に対応して、前記荷台１に固定レール部４を設け、前記リフトテーブルＴに形成された前記荷台１への取付部15に前記固定レール部４に摺動自在な可動レール部30を設け、前記レール部４に前記可動レール部30の摺動を制限するロック装置９を設けたことにより、荷台１と貨物自動車用リフト装置14を摺動自在なレール部４,30により着脱自在にすることで、着脱時の労力を軽減することができる。
【実施例３】
【００５２】
図14乃至16は実施例３を示しており、前記実施例１と同一部分には同一符号を付し、その詳細な説明を省略する。
【００５３】
１は貨物自動車のアルミバン型の荷台であり、前記荷台１の床下後部には左右一対のシャーシフレーム２が固着されている。
【００５４】
そのシャーシフレーム２には、内側に向けて突設し係止孔37を備えたレール部材38と、矩形状の板体39を有し、前記板体39には前後方向に一条の溝40が形成されている。
【００５５】
溝40の後端にはボルト41・ナット42からなる当接部材43が螺着されている。
【００５６】
シャーシフレームの下部44には、シャーシフレームの下部44同士を左右に連結する板体からなるバンパ固定用フレーム45が設けられており、バンパ固定用フレーム45にはシャーシフレームの下部44における連結箇所の内側の２箇所にバンパ固定用貫通孔46が形成されている。
【００５７】
前記板体39の溝40にピン部材47により摺動自在に設けられた格納式リアバンパ48があり、前記リアバンパ48は、前記ピン部材47を有した左右一対のフレーム部材49の基端に左右方向に長辺を有した箱体からなるバンパ部材50を一体に形成したものである。
【００５８】
前記フレーム部材49の互いに向かい合う面には、板体を垂直に屈折し、一部の面に貫通孔51を形成した固定部材52が互いに設けられている。
【００５９】
以上の構成について作用を述べると、荷台１にリフトテーブルＴを有する貨物自動車リフト装置14が装着されている場合、格納式リアバンパ48はフレーム部材49を水平に寝かせた状態で、ピン部材47を溝40の前端に当接した状態まで荷台１のシャーシフレーム２の内部に格納されており、その時、フレーム部材49の貫通孔51とレール部材38の係止孔37とは、ボルト・ナットによる固定手段53により螺着されており、格納式リアバンパ48とシャーシフレーム２は摺動不能な状態に固定されている。
【００６０】
次に、リフト装置14を荷台１から取外した際、貨物自動車はリアバンパを有していない状態となり、その場合にはフレーム部材49とレール部材38とを固定していたボルト・ナットによる固定手段53を取外し、格納式リアバンパ48とシャーシフレーム２とを、溝40に対するピン部材47の摺動動作による摺動自在な状態にする。
【００６１】
そして、格納式リアバンパ48を水平方向に前から後に引き出し、溝40に固着されていたボルト41・ナット42からなる当接部材43にピン部材47を当接させた後、そのまま格納式リアバンパ48をピン部材47を軸に回動させ、フレーム部材49とバンパ固定用フレーム45とを当接させる。
【００６２】
その時に固定部材52の貫通孔51とバンパ固定用フレーム45の貫通孔46とが揃い前記ボルト・ナットによる固定手段53により螺着され、バンパ固定用フレーム45と格納式リアバンパ48を固定することで、格納式リアバンパ48は貨物自動車のリアバンパとして使用可能となる。
【００６３】
以上のように、前記実施例では請求項４に対応して、前記荷台１に床下格納式リアバンパ48を摺動自在に設けたことにより、貨物自動車用リフト装置14の取外し時の貨物自動車のリアバンパとして、床下格納式リアバンパ48を荷台１から引出して使用することができる。
【実施例４】
【００６４】
図17は実施例４を示しており、前記実施例１と同一部分には同一符号を付し、その詳細な説明を省略する。貨物自動車用リフト装置14のメインフレーム15の左右端とリフトテーブルＴの取付枠54の左右端の４箇所には昇降手段としてのジャッキ55が装着されており、前記ジャッキ55はリフト装置14への装着部56と装着部56の下側に設けられ上下に伸縮可能なリンク機構を有した脚部57と、その脚部57を空気圧又は油圧等により伸縮させる昇降装置（図示せず）とその昇降装置の作動・停止等の制御を可能にする制御装置（図示せず）とから構成される。
【００６５】
以上の構成について作用を述べると、荷台１に貨物自動車用リフト装置14を装着する場合、前記リフト装置14を荷台１の車両側凸形レール４の下側の床面Ｙへ配置し、リフト装置14に設けた４箇所のジャッキ55をリフト装置14を床面Ｙに水平になるように上昇させていき、荷台１の車両側凸形レール４にリフト装置14の凹形レール30を取付作業が行い易い高さまでジャッキ55によりリフト装置14を上昇させた後、荷台１にリフト装置14を装着させる。
【００６６】
荷台１からリフト装置14を取外す場合には、まずはジャッキ55の脚部57をそれぞれの先端を床面Ｙに当接するまで降下させていき、脚部57の先端を床面Ｙに当接させたまま、今度は荷台１とリフト装置14との固定を解除させ、荷台１にリフト装置14を離脱可能な状態にする。
【００６７】
そのままの状態からジャッキ55の脚部57をリフト装置14を床面Ｙに水平な姿勢にしたまま縮め、荷台１からリフト装置14を取外す。その後、脚部14を最も縮めた状態つまりは、ジャッキ55の脚部57を床面Ｙに当接していない状態まで縮めてから、取外したリフト装置14を保管場所まで運ぶ。
【００６８】
以上のように、前記実施例では請求項５に対応して、前記貨物自動車用リフト14は、該貨物自動車用リフト装置14自体を上下動自在にする昇降手段55を有することにより、荷台１への貨物自動車用リフト装置14の脱着作業時のリフト装置14の上げ下げにおける作業者の肉体的労力を軽減する。
【実施例５】
【００６９】
図18は実施例５を示しており、前記実施例１と同一部分には同一符号を付し、その詳細な説明を省略する。
【００７０】
リフト装置14のメインフレーム15の左右端下側と、取付枠54の左右端下側の４箇所には自走手段58が取付けられており、前記自走手段58はリフト装置14への装着部59と装着部59の下側に設けられた車輪60を有している。
【００７１】
本実施例では、計４箇所に自走手段58を配置しているが、メインフレーム15に２箇所と取付枠54中央下側のみで計３箇所や、メインフレーム15の中央下側と取付枠54の２箇所の計３箇所といった配置やそれ以外に例えば、４箇所ではなくさらに多くの自走手段58を配置しても構わないものとする。
【００７２】
以上の構成について作用を述べると、荷台１に貨物自動車用リフト装置14を装着する場合、前記リフト装置14の保管場所からリフト装置14を作業者は床面Ｙに対し押し動かし、荷台１の車両側凸形レール４の下側までリフト装置14を移動させ、荷台１へのリフト装置14の装着作業を行う。
【００７３】
荷台１に装着されたリフト装置14を、取外す場合に荷台１の車両側凸形レール４から離脱されたリフト装置14を床面Ｙに置き、リフト装置14の保管場所まで作業者が押し動かしていき、不要なリフト装置14を保管しておく。
【００７４】
以上のように、前記実施例では請求項６に対応して、前記貨物自動車用リフト装置14は、該貨物自動車用リフト装置14を自走可能にする手段58を有することにより、脱着作業時のリフト装置14の運搬を容易し、作業者の肉体的労力を軽減する。
【図面の簡単な説明】
【００７５】
【図１】本発明の実施例１における貨物自動車用リフト装置の取付け時の斜視図である。
【図２】本発明の実施例１における貨物自動車用リフト装置の取付け時のレール部分の平面図である。
【図３】本発明の実施例１における貨物自動車用リフト装置の取付け時のレール部分の側面図である。
【図４】本発明の実施例１における固定側レールに可動レールを摺動途中の状態を示す断面図であり、図４（a）はローラ部分の断面図であり、図４（b）は固定レール部接触部材の断面図である。
【図５】本発明の実施例１における固定レールに可動レールを装着時の状態を示す断面図であり、図５（a）はローラ部分の断面図であり、図５（b）は固定レール部接触部材の断面図である。
【図６】本発明の実施例１における固定レールに可動レールを装着した状態を示す側面図である。
【図７】図６においてハンドル11を軸12を軸として外側に９０°回動した状態を示す平面図である。
【図８】図７においてハンドル11を回動軸８を軸として下方に９０°回動した状態を示す断面図である。
【図９】図８においてハンドル11を軸12を軸として上方に９０°回動した状態を示す側面図である。
【図１０】本発明の実施例１におけるロック装置作動時のハンドルを収納した状態を示す平面図である。
【図１１】本発明の実施例２における貨物自動車用リフト装置の取付け時の斜視図である。
【図１２】本発明の実施例２における貨物自動車用リフト装置の取付け時のレール部分を示す平面図である。
【図１３】本発明の実施例２における固定レールに可動レールを装着した状態を示す断面図である。
【図１４】本発明の実施例３における格納式リアバンパの格納時の斜視図である。
【図１５】本発明の実施例３における格納式リアバンパを貨物自動車のリアバンパとして使用する状態を示す斜視図である。
【図１６】本発明の実施例３における格納式リアバンパの動作を示す側面図であり、図16（ａ）はリアバンパとしての使用状態、図16（ｂ）は格納式リアバンパをピン部材を軸として下方に回動させた状態、図16（ｃ）は格納式リアバンパを荷台の床下に押し込み格納した状態を示している。
【図１７】本発明の実施例４における昇降手段を有した貨物自動車用リフト装置の動作を示す側面図であり、図17（a）は昇降手段が最も縮んだ状態、図17（b）は貨物自動車用リフト装置を荷台に対し脱着可能な状態まで昇降手段により上昇させた状態を示している。
【図１８】本発明の実施例５における自走手段を有した貨物自動車用リフト装置の動作を示す側面図である。
【図１９】従来技術における貨物自動車用リフト装置の動作を示す側面図であり、図19（ａ）はリフトテーブルの格納状態、図19（ｂ）はリフトテーブルを荷台の後方に引き出した状態、図19（ｃ）はリフトテーブルを接地させた状態、図19（ｄ）は上昇させた状態を示している。
【図２０】従来技術における貨物自動車用リフト装置のリフトテーブルの起伏動作を説明する側面図である。
【符号の説明】
【００７６】
１  荷台
14  貨物自動車用リフト装置
４,34  車両側凸形レール（固定レール部）
９  ロック装置
15  メインフレーム（取付部）
30,35  凹形レール（可動レール部）
48  床下格納式リアバンパ
55  ジャッキ（昇降手段）
58  自走可能にする手段
101  平行リンク機構
102  駆動装置
109  平行リンク機構
110  昇降用シリンダ
111  起伏用シリンダ
Ｔ  リフトテーブル
【図１】
2007099247.tif 000003
【図２】
2007099247.tif 000004
【図３】
2007099247.tif 000005
【図４】
2007099247.tif 000006
【図５】
2007099247.tif 000007
【図６】
2007099247.tif 000008
【図７】
2007099247.tif 000009
【図８】
2007099247.tif 000010
【図９】
2007099247.tif 000011
【図１０】
2007099247.tif 000012
【図１１】
2007099247.tif 000013
【図１２】
2007099247.tif 000014
【図１３】
2007099247.tif 000015
【図１４】
2007099247.tif 000016
【図１５】
2007099247.tif 000017
【図１６】
2007099247.tif 000018
【図１７】
2007099247.tif 000019
【図１８】
2007099247.tif 000020
【図１９】
2007099247.tif 000021
【図２０】
2007099247.tif 000022